(57)【要約】【課題】部材が安価であってカバー材へ取り付け易く、確実な外れ止めに加えてカバー材の連結も可能な外れ止め部材を有する床用エキスパンションジョイントを提供すること。【解決手段】一定の間隔をおいて相対する建築物の床躯体１、１が間隙Ｓ側に固定部材２、２を固定され、これら固定部材２、２の間には摺動可能にカバー材３を架設されて、該カバー材３はその両側部を上記固定部材２、２に支持される化粧支持部材４、４よって覆われるようにした床用エキスパンションジョイントＡにおいて、上記カバー材３に、当片１６ａとその両側より垂下する係合縁１６ｂ、１６ｂとが薄板で形成された外止め部材１６を、当片１６ａをカバー材３の裏面に添えて、係合縁１６ｂ、１６ｂより分割した曲げ付片１６ｃ、１６ｃをカバー材３の側縁へ曲げ付けることにより固定したこと。【選択図】図１
2005068730.tif 000002
【特許請求の範囲】
【請求項１】
一定の間隔をおいて相対する建築物の床躯体が間隙側に固定部材を固定され、これら固定部材の間には摺動可能にカバー材を架設されて、該カバー材はその両側部を上記固定部材に支持される化粧支持部材によって覆われるようにした床用エキスパンションジョイントにおいて、
上記カバー材に、当片とその両側より垂下する係合縁とが薄板で形成された外れ止め部材を、当片をカバー材の裏面に添えて、係合縁より分割した曲げ付け片をカバー材の側縁へ曲げ付けることにより固定した
ことを特徴とする床用エキスパンションジョイント。
【発明の詳細な説明】
【技術分野】
【０００１】
本発明は、間隔をおいて相対する建築物の床躯体の間隙を覆う床用エキスパンションジョイントに関する。
【背景技術】
【０００２】
従来の床用エキスパンションジョイントにおいて、床躯体の間隙を覆うカバー板の外れ止め行うには、カバー材の両側縁に係止縁に当接可能な突縁を下方へ突出させるようにする（例えば、特許文献１参照）か、または、床躯体の間隙を覆うカバープレートの両側縁と床躯体とを引っ張りバネで連結するようにしている（例えば、特許文献２参照）。
【０００３】
しかしながら、カバー板の側縁を折り曲げて突縁を形成する前者は、突縁の分だけ幅の広い材料が必要であって、長尺物であるため加工費も高くつく問題点がある。
また、カバープレートと床躯体を引っ張りバネで連結する後者は、その取り付けには手数を要して、バネの外れや損傷による故障を生じ易い問題点がある。
【特許文献１】特開平７−１１９２１４号公報（第３頁、図１）
【特許文献２】特開平７−２８６３７５号（第４頁、図１）
【発明の開示】
【発明が解決しようとする課題】
【０００４】
本発明が解決しようとする課題は、部材が安価であってカバー材へ取り付け易く、確実な外れ止めに加えてカバー材の連結もできる外れ止め部材を有する床用エキスパンションジョイントを提供することをその課題とする。
【課題を解決するための手段】
【０００５】
前記問題点を解決するため、本発明に係る床用エキスパンションジョイントは、一定の間隔をおいて相対する建築物の床躯体が間隙側に固定部材を固定され、これら固定部材の間には摺動可能にカバー材を架設されて、該カバー材はその両側部を上記固定部材に支持される化粧支持部材によって覆われるようにした床用エキスパンションジョイントにおいて、上記カバー材に、当片とその両側より垂下する係止縁とが薄板で形成された外止め部材を、当板をカバー材の裏面に添えて、係合縁より分割した曲げ付け片をカバー材の側縁へ曲げ付けることにより固定したことを特徴とする。
【発明の効果】
【０００６】
薄板を曲げ加工して形成する外れ止め部材は、材料費、加工費が安いため安価に提供できて、曲げ付け部をカバー材へ曲げ付けるだけでカバー材へ確実に取り付けられることができる。
【０００７】
外れ止め部材の両側から垂下する係合縁は、床躯体の変動時にカバーが動くと、全長で固定部材の支持縁へ係合してカバー材を制止するため、カバー材は間隙を覆う状態に確実に保持して外れることはない。
【０００８】
カバー材を連結するとき、カバー材の端部を突き合わせて、両カバー材へ跨るように外れ止め部材の当片を当て、曲げ付け片を両カバー材へ曲げ付けるようにすれば、外れ止め部材でカバー材の連結と外れ止めとを行わせることができる。
【発明を実施するための最良の形態】
【０００９】
以下、図面によって本発明に係る床用エキスパンションジョイントの実施形態を説明する。
【００１０】
図１において符号Ａは、床用エキスパンションジョイントを示す。この床用エキスパンションジョイントＡは、一定の間隔をおいて相対する建築物の床躯体１、１が間隙Ｓ側に固定部材２、２を固定され、これら固定部材２、２の間には摺動可能にカバー材３を架設されて、該カバー材３はその両側部を上記固定部材２、２に支持される化粧支持部材４、４に覆われる構成としてある。
【００１１】
床躯体１、１はコンクリートで形成されて、間隙Ｓ側に固定部材２、２が納まる切欠５、５を設けてあり、この切欠５、５内には固定部材２、２を収めて、ボルト６、６により床躯体１、１へ固定し、固定部材１、１と切欠５、５との間に生ずる隙間をモルタルまたはコーキング材７、７によって充填する。
【００１２】
固定部材２、２は、アルミニウムの板または押出材、ステンレス板等により形成した長尺物であって、間隙Ｓ側の端部にカバー材３の支持縁８、８を立ち上がらせて、その上部に緩衝材９、９を冠着し、支持縁８、８の基部には、止水板１０の取付部１１、１１を嵌合する嵌合溝１２、１２を設けてあり、反対側の端部には鉤形をなす化粧支持部材４、４の固定部１３、１３を設けて、この固定部１３、１３へ化粧支持部材４、４の外端を重ね、ネジ１４、１４により締め付けると、化粧支持部材４、４が床躯体１、１と面一となるように固定部材２、２へ固定される。
【００１３】
カバー材３は、アルミニウムの板または押出材、ステンレス板等により形成した長尺物であって、裏面の両側を固定部材２、２に設けた支持縁８、８へ冠着してある緩衝材９、９に当てて床躯体１、１へ架け渡し、床躯体１、１の間隙Ｓを覆わせたものであり、このカバー材３は、表面に例えば図２に示す通りの凹筋１５を形成する等の滑り止め手段を講ずるようにする。
【００１４】
化粧支持部材４、４は、アルミニウムの板または押出材、ステンレス板等により形成した長尺物であって、前述した通り、外端を固体部材２、２の固定部１３、１３へネジ１４、１４により止めて、内側をカバー材３の両側上へ張り出させて、カバー材３と適当な重なりが生ずるようにしてある。この化粧支持部材４、４も図面には示してないが、凹筋の形成、その他の滑り止め手段を講ずることが好ましい。
【００１５】
上記カバー材３は、間隙の変動が生じたとき固定部材２、２から外れないようにする必要がある。このため、図３、図４において符号１６で示す外れ止め部材を用いる。この外れ止め部材１６は、薄い鋼板、真鍮板、ステンレス板等をプレス加工して、カバー材３の裏面に当てる当片１６ａと、その両側より垂下する係合縁１６ｂ、１６ｂと、この係合縁１６ｂ、１６ｂの一部を切目線１７により分離して、カバー材３の表面へ曲げ着けられるようにした曲げ付け片１６ｃ、１６ｃとを有するように形成した短寸のものであって、曲げ付け片１６ｃは通常は係合縁１６ｂの両端に２個形成するが、必要に応じてその数と配置は変更できる。
【００１６】
上記実施例に示す床用エキスパンションジョイントＡは、カバー材３の裏面へ外れ止め部材１６の当片１６ａを図５（ａ）に示すように当て、曲げ付け片１６ｃを図５（ｂ）に１点鎖線で示すように上方へ起してから、２点鎖線で示すようにカバー材３の表面へ曲げ付けると、当片１６ａと曲げ付け片１６ｃとは、図５（ｃ）に示す通りカバー材３の両縁部を挟んで、外れ止め部材１５をカバー材３へ確実に固定することができる。
【００１７】
上記のように外れ止め部材１６を固定されたカバー材３を、図６に示す通り床躯体１、
１に取り付けた固定部材２、２の支持縁８、８上へ乗せて床躯体１、１の間隙Ｓを覆わせると、外れ止め部材１６の係合縁１６ｂ、１６ｂは、固定部材２、２に設けた支持縁８、８より離れて両外側に位置している。しかし、地震や地盤沈下等が発生して床躯体１、１を変動させるときは、その変動方向へカバー材３が移動を起こすが、カバー材３には外れ止め部材１６が固定されていて、その両側に垂下した係合縁１６ｂ、１６ｂの一方を固定部材２、２の支持縁８、８へ係合させて、カバー材３の移動を阻止するため、カバー材３はこの状態において停止し、外れを防止されて床躯体１、１の間隙Ｓを覆った状態を保持する。
【００１８】
また、外れ止め部材１６は、カバー材３の連結にも利用できるもので、この場合は、図
７に示す通り端部を突き合わせたカバー材３、３の裏面へ外れ止め部材１６の当片１６ａを半分ずつ当て、図７において手前側の曲げ付け片１６ｃを手前側のカバー材３の側縁へ曲げ付け、奥側の曲げ付け片１６ｃを奥側のカバー材３の側縁へ曲げ付けると、カバー材３、３へ外れ止め部材１６が固定されて両カバー材３、３を連結するものであって、この場合も、外れ止め部材１６の係合縁１６ｂ、１６ｂは固定部材２、２の支持縁８、８から離れた外側に位置して、床躯体１、１の変動が起きてカバー材３を移動させるとき、係合縁１６ｂ、１６ｂの一方が支持縁８、８の一方に係合し、カバー材３の移動を阻止してカバー材３が外れずに床躯体１、１の間隙Ｓを覆った状態の保持するようにする。
【産業上の利用可能性】
【００１９】
床躯体の間隙を覆うカバー材の外れ止めを簡単で安価な構造によって確実に達成するのに適用できる。
【図面の簡単な説明】
【００２０】
【図１】本発明に係る床用エキスパンションジョイントの断面図
【図２】カバー材の一部分の斜視図
【図３】カバー材の外れ止め部材の表側斜視図
【図４】同上の裏側斜視図
【図５】（ａ）（ｂ）（ｃ）はカバー材へ外れ止め部材の取り付ける状態の説明図
【図６】外れ止め部材をカバー材の外れ止めに使用する場合の斜視図
【図７】外れ止め部材がカバー材の連結と外れ止めに使用する場合の斜視図
【符号の説明】
【００２１】
Ａ  床用エキスパンションジョイント
１、１  床躯体
２、２  固定部材
３  カバー材
４、４  化粧支持部材
１６  カバー材の外れ止め部材
１６ａ  当片
１６ｂ、１６ｂ  係合縁
１６ｃ、１６ｃ  曲げ付け片
【図１】
2005068730.tif 000003
【図２】
2005068730.tif 000004
【図３】
2005068730.tif 000005
【図４】
2005068730.tif 000006
【図５】
2005068730.tif 000007
【図６】
2005068730.tif 000008
【図７】
2005068730.tif 000009